(57)【特許請求の範囲】
【請求項１】
流し台（３００）の上部の壁面に取り付けられる食器棚フレーム（１００）の内部に設けられたサーボモータ（１１０）に係合して回転するように形成されたスクリューバー（１１５）と雌雄スクリュー状に係合してスクリューバー（１１５）の回転により食器棚の内面（１０５）に取り付けられたレール（１２０）に沿って昇降する棚フレーム（２００）と、
棚フレーム（２００）の下端に形成された摺動部材（２３２、２３５）により前後に摺動可能なように形成された１段目の棚（２３０）と、
棚フレーム（２００）の昇降に連動し、流し台（３００）の下部に設けられたサーボモータ（４２０）の回転軸に係合したギア（４２５）と噛み合ってギア（４２５）の回転により昇降するように形成された昇降バー（４３０）に係合して昇降バー（４３０）の昇降により昇降するように形成された水栓（４００）と、
を備えることを特徴とする、昇降する棚と連動して昇降する流し台。
【請求項２】
流し台（３００）は、流し台（３００）の下部に設けられたサーボモータ（３２０）と係合したスクリューバー（３３０）の回転により、該スクリューバー（３３０）と雌雄スクリュー状に係合した流し台（３００）の昇降により、流し台（３００）の水栓の高さを更に低めるように形成されたことを特徴とする請求項１に記載の、昇降する棚と連動して昇降する流し台。
【発明の詳細な説明】
【技術分野】
【０００１】
本発明は、流し台の上部の壁面に取り付けられる食器棚フレーム１００の内部に設けられたサーボモータ１１０に係合して回転するように形成されたスクリューバー１１５と雌雄スクリュー状に係合してスクリューバー１１５の回転により食器棚の内面１０５に取り付けられたレール１２０に沿って昇降する棚フレーム２００と、棚フレーム２００の下部に形成されたケーシング部材２３２に摺動するように係合した摺動部材２３５が形成されて引っ張って引き寄せることができ、押して元の位置に戻すように形成された１段目の棚２３０と、棚フレーム２００の昇降に連動し、流し台３００の下部に設けられたサーボモータ４２０の回転軸に係合したギア４２５と噛み合ってギア４２５の回転により昇降するように形成された昇降バー４３０に係合して昇降バー４３０の昇降により昇降するように形成された水栓４００と、を備えることを特徴とする昇降する棚と連動して昇降する流し台の水栓に関する。
【背景技術】
【０００２】
本発明は、身体の不自由な人、お年寄りや小さな子ども、特に、車椅子に乗っても棚の上の調味料や食器を手軽に使用できるようにする、昇降する流し台の上の棚と、該棚と連動して昇降する水栓及び流し台に係り、車椅子に座ったお年寄りや小さな子ども、又は身体の不自由な人の手が棚の上の物品に十分に届くように形成したものである。
【０００３】
従来の技術として、モータ及びワイヤにより昇降する、流し台の上部の食器棚が提案されている（例えば、下記の特許文献１参照）。
【０００４】
しかしながら、下記の特許文献１に記載の棚は、該棚が流し台の水栓の直ぐ上部の棚である場合には、棚が下降してからしばらく経った後に水栓にぶつかってしまい、車椅子に乗ったお年寄りや小さな子ども、又は身体の不自由な人の手が棚の上の物品に届かないだけではなく、ワイヤを用いて棚を昇降させるが故に、昇降中に棚が揺れ、大きな棚の重量によりワイヤが途切れて棚が墜落するおそれがあった。このような墜落事故は、鋭いガラス製食器などが破損してユーザの安全を大いに脅かすおそれがある。
【０００５】
他の従来の技術として、駆動モータとワイヤ により高さが調節される流し台が提案されている（例えば、下記の特許文献２参照）が、昇降可能な流し台の水栓ではないだけではなく、流し台の上部に設けられる棚である場合、棚が少しばかり下降しても水栓にぶつかってしまうため、使えない技術である。
【０００６】
このように、従来の技術は、棚を車椅子に乗った身体の不自由な人、又はお年寄りや小さな子どもなどが棚の上の物品を手で取って使えるように形成されたものではなかった。したがって、本発明は、従来の技術の問題を解決して、車椅子に乗った身体の不自由な人、お年寄りや小さな子どもも流し台の上において流し台の上部の棚内の物品を手軽に手で取って使えるようにユーザに十分に近づけることのできる、昇降する棚と連動して昇降する水栓及び流し台を開発するに至った。
【特許文献１】大韓民国公開実用新案第２０−２０００−００１７９８４号
【特許文献２】大韓民国実用新案登録第２０−０２１１３７５号
【発明の概要】
【発明が解決しようとする課題】
【０００７】
本発明は、車椅子に座っても流し台の上の棚の物品を手で取って使える、昇降する棚と連動して昇降する水栓及び流し台を提供することを目的とする。
【課題を解決するための手段】
【０００８】
上述した目的を達成するために、本発明は、流し台の上部の壁面に取り付けられる食器棚フレーム１００の内部に設けられたサーボモータ１１０に係合して回転するように形成されたスクリューバー１１５と、該スクリューバーと雌雄スクリュー状に係合（螺合）してスクリューバー１１５の回転により食器棚の内面１０５に取り付けられたレール１２０に沿って昇降する棚フレーム２００と、棚フレーム２００の下端に形成された摺動部材２３２、２３５により前後に摺動可能なように形成された１段目の棚２３０と、棚フレーム２００の昇降に連動し、流し台３００の下部に設けられたサーボモータ４２０の回転軸に係合したギア４２５と噛み合って、該ギア４２５の回転により昇降するように形成された昇降バー４３０に係合して昇降バー４３０の昇降により昇降するように形成された水栓４００と、を備えることを特徴とする昇降する棚と連動して昇降する流し台の水栓に関するものである。
【０００９】
本発明は、流し台に設けられた水栓を上下に昇降可能なように形成することにより、下降する棚が水栓にぶつからないようにしつつも十分に低く下降可能なように形成したものである。
【００１０】
また、本発明は、最下部の１段目の棚を前後に摺動可能なように形成し、棚が下降した状態で１段目の棚を手に把持してユーザに向かって引っ張ってなお一層近づけて身体の不自由な人、又はお年寄りや小さな子どもが車椅子に乗った状態で棚の上の食器、洗浄剤、洗浄具、調味料入れ、食材などを手で取って使えるように形成している。
【００１１】
更に、本発明は、棚フレームの昇降装置としてサーボモータ及びスクリューバーを用いることから、たとえサーボモータが故障しても棚が墜落することなくその場に止まるように形成されたものであり、従来のワイヤを用いた棚においてワイヤが切れる場合、これが棚の墜落事故につながっていた問題を根源的に防いでユーザの安全を改善したものである。
【００１２】
更にまた、本発明において、図４に示すように、１段目の棚２３０は、上部棚と棚フレーム２００により連結され、棚フレーム２００の下端に前後（ユーザが存在する側が前方であり、棚が取り付けられた壁側が後方である）に摺動可能なように摺動部材２３２、２３５が形成されるものであることが分かる。
【００１３】
本発明は、水栓を下降させた後にこれを更に下降させるように、水栓付き流し台３００それ自体を安全に昇降可能なように形成したものであり、流し台の下部に設けられたサーボモータ３２０及びスクリューバー３３０に流し台３００を昇降可能なように形成したものである。
【００１４】
流し台それ自体が重いため、自重によりワイヤを用いて昇降すると、墜落事故が生じるおそれがあり、ユーザの安全を脅かすものであるため、これを根源的に防ぐために、故障時にもその場に止まるスクリュー式昇降装置を用いて流し台を昇降させるように形成したものである。
【発明の効果】
【００１５】
本発明は、棚と連動して下降する水栓を形成し、１段目の棚を引っ張ってなお一層近づけることができ、上部棚を引っ張られた１段目の棚の元の位置まで下降可能なようにするだけではなく、水栓付き流し台それ自体を下降可能なようにすることにより、洗浄剤、洗浄具、調味料入れ、食材、食器などを入れておく流し台の真上の棚を十分な高さまで下降させることができ、車椅子に乗った身体の不自由な人、又はお年寄りや小さな子どもがスイッチを操作して棚を近づけて棚内の物品を手で取って使えるという効果があり、且つ、従来のワイヤを用いた昇降装置は、ワイヤの切断により棚が墜落するおそれがあったが、本発明は、スクリューバーを用いて昇降させることにより、棚の墜落事故を根源的に防ぐという効果を奏するものであり、身体の不自由な人、又はお年寄りや小さな子どもが車椅子に乗っても手軽に且つ安全に使える技術を提供するという効果がある。
【図面の簡単な説明】
【００１６】
【図１】本発明の前面の様子を示す一例である。
【図２】本発明の水栓の昇降のための装置の構成の一例を示すものである。
【図３】本発明の流し台の昇降のための装置の構成の一例を示すものである。
【図４】本発明の３段目の棚の前後の摺動の構成の一例を示すものである。
【図５】本発明の、車椅子に座った姿勢での使用状態の一例を示すものである。
【図６】本発明の一実施形態による制御ボックス及び作動スイッチを示すものである。
【発明を実施するための形態】
【００１７】
本発明は、お年寄りや小さな子ども、又は身体の不自由な人などが車椅子に乗っても手軽に使えるように流し台の上部に設けられる食器棚を安全に且つ十分に近づけるように構成したものであり、棚の昇降と連動して水栓を昇降させることができ、１段目の棚を引っ張ってなお一層近づけて用いることができる他、上部棚を更に下降させることができ、水栓付き流し台を下降させて棚を更に低めるように形成したものである。
【００１８】
図１は、本発明の前面を示すものであり、スイッチの動作によりサーボモータ１１０が回転しながらサーボモータギア部に係合したスクリューバー１１５が回転し、スクリューバーの回転により該スクリューバーと図示しないナットなどを介して雌雄スクリュー状に係合（螺合）した棚フレーム２００が下降し、１段目の棚２３０の下部が水栓４００に近付くと、これをセンサー（図示せず）が感知して流し台３００の下部に設けられたサーボモータ４２０が回転しながらモータ回転軸のギア４２５が係合した昇降バー４３０（図２参照）が下降しながら水栓４００を下降させるように形成したものである。水栓４００は、流し台に形成された孔に昇降し、水栓の下部に昇降バー４３０が係合し、昇降バー及びモータ回転軸のギアが噛み合い、モータは流し台の下部に設けられる。
【００１９】
本発明は、食器棚の内壁に上下に２つのレールが取り付けられ、棚フレーム２００はレールに沿って昇降し、棚フレームにはレールが嵌め込まれるレール用の溝が凹設される。このようにレールを係合して昇降させる理由は、棚はその上に載せられた食器、洗浄具、食材などにより重いため、揺れることなく安全に昇降させるためである。
【００２０】
また、従来は、ワイヤを巻き取って昇降させる場合、棚の重さによりともすればワイヤが切れがちだったが、本発明は、スクリューバーを用いることで、たとえ故障しても棚はその場に止まるようにすることにより、棚の墜落事故を防ぐものである。
【００２１】
棚フレーム２００及び水栓４００は、所定の位置に達すると止まるように制御部に設定され、図６は、制御ボックス及び作動スイッチの一実施形態を示すものであり、位置センサー及びサーボモータを用いて昇降及び高さを調節する制御技術は、様々な技術分野において採択されている通常の技術に相当するものであるため、その具体的な記載は省略する。
【００２２】
棚は上下に複数段が形成され、最上部の棚は棚の下降、水栓及び流し台の下降だけでは足りないおそれがあり、本発明は、棚フレームを更に下降可能なように昇降する水栓が設けられた流し台３００を昇降させるように形成したものであり、流し台を下降させる場合、棚フレームを連動して下降させるように形成してもよい。
【００２３】
図３の流し台の下部を見ると、排水路３４０があり、サーボモータ３２０が設けられており、サーボモータ３２０に係合して回転するようにスクリューバー３３０が形成されたものであり、スクリューバー３３０は、流し台３００と図示しないナットなどを介して雌雄スクリュー状に係合（螺合）され、スクリューバーの回転により流し台が昇降するように形成されたものである。
【００２４】
前記サーボモータ３２０及びスクリューバー３３０は底面に設けられ、流し台を受け止める流し台フレーム（図示せず）が設けられ、スクリューバー３３０の回転により、流し台３００は、流し台フレームと接して昇降するように形成される。
【００２５】
図４に示すように、１段目の棚２３０は上部棚と棚フレーム２００により連結され、棚フレーム２００の下端に前後（ユーザが存在する側が前方であり、棚が取り付けられた壁側が後方である）に摺動可能なように摺動部材２３２、２３５が形成されるものであることが分かり、１段目の棚２３０をユーザに向かって引っ張ると、車椅子に乗ったユーザの手は手前に引っ張られた１段目の棚２３０の物品及び更に下降させた上部棚の物品になお一層近づく。
【００２６】
車椅子に乗ってユーザに向かって棚をなお一層近づけるために、本発明は、図４に示すように、１段目の棚２３０を引っ張って使えるように形成したものであり、１段目の棚２３０を手前に引っ張った状態で上部棚を下降させると、１段目の棚があった個所に２段目の棚２４０がくるように下降させることができ、このようにして、車椅子に乗ったユーザの手が上部棚の物品に近付くように形成されたものである。
【００２７】
図５は、本発明において、棚、水栓及び流し台を下降させることにより、車椅子に乗った状態でユーザの手が棚の上に届くことを示している。
【００２８】
本発明の構成は前記実施形態に何ら限定されるものではなく、通常の技術範囲内において実施可能な様々な実施形態を含むものである。
【符号の説明】
【００２９】
１００：食器棚フレーム
１０５：食器棚の内面
１１０：サーボモータ
１１５：スクリューバー
１２０：レール
２００：棚フレーム
２０５：棚の内面
２３０：１段目の棚
２３５：摺動部材
２４０：２段目の棚
２５０：３段目の棚
３００：流し台
３２０：サーボモータ
３３０：スクリューバー
３４０：排水路
４００：水栓
４１０：昇降孔
４２０：サーボモータ
４２５：ギア
４３０：昇降バー
【図１】
0006329221.tif 000002
【図２】
0006329221.tif 000003
【図３】
0006329221.tif 000004
【図４】
0006329221.tif 000005
【図５】
0006329221.tif 000006
【図６】
0006329221.tif 000007